(57)【特許請求の範囲】
【請求項１】
折り畳み可能なＸフレームを介して左右対称的に形成され、後端部に後車輪３０が軸着され、前端部に前車輪３１が着設されたサイドフレーム２０を相対して配設し，該左右のサイドフレーム２０の間に座部５０が設けられた車椅子の、前記前車輪３１と前記後車輪３０の間のベースフレーム３２は、前端を外側に湾曲させ、車椅子を折り畳んだ際に、ベースフレーム３２の内側にフットレスト６０が収納され、左右の前部フレーム１１の下端部に架設されたフットレストサポート１５の中間部はバネ部材を付勢した連結部材１６により連結され、該連結部材１６にバネ部材を付勢して、フットプレート１３に足を載せていない時はフットプレート１３は山形の形状が維持され、フットレストサポート支持部１２にフットプレート１３の角度を調節する角度調節部材１９を着設した車椅子の座部５０の前方部にバックル付きのベルト１０を着設し、ベルトを引き上げると車椅子が折り畳まれ、バックルで固定されることを特徴とする車椅子。
【請求項２】
バックル付きのベルトのバックルを上にして、バックルに近い部分と、他方端に当たるベルトを座部５０の幅方向に座部５０と左右のサイドフレームにそれぞれ座部５０の幅方向に横架状に着設したことを特徴とする請求項１記載の車椅子。
【請求項３】
バックル付きのベルトのバックルを上にして、バックルに近い部分と、他方端に当たるベルトをそれぞれ座部５０の前後方向の中央より前の位置に着設したことを特徴とする請求項１又は請求項２に記載の車椅子。
【発明の詳細な説明】
【０００１】
【発明の属する技術分野】
車椅子に関し、さらに詳しくは、車椅子の折たたみ、結束機構に関する。
【０００２】
【従来の技術】
従来、車椅子を折りたたむのは車椅子の両側のサイドフレームを引き寄せて折たたむ方法が採られている。この方法で車椅子を折たたむには、自動車等に移乗したときに、自動車の座席などから、両腕を伸ばして左右のフレームを引き寄せて折たたまねばならず、力の要することである。特に介助者のいない場合には、高い車の座席から手を伸ばして折たたまねばならないときは大変不便であり、また、危険でもあった。さらに、折たたんだ車椅子を自動車に引き上げるときに、片手で引き上げると、一方に力が掛かって、折たたんだ車椅子が再び開いてしまうことがあり、バランスを崩して転ぶ危険性もあり、折たたんだ後の取り扱いにも不便である等の問題があった。
【０００３】
このために、折たたみやすく、折たたんだ車椅子を簡単に結束することのできる車椅子の出現が望まれていた。
【０００４】
【発明が解決しようとする課題】
本発明は上記事実に鑑みてなされたもので、車椅子の不使用時に容易に折たたむことができると共に、折たたんだ車椅子を簡単に結束して取り扱いやすくした車椅子の提供にある。
【０００５】
【課題を解決するための手段】
上記課題を解決するために鋭意研究を重ねた結果、容易に折りたたむことができるとともに、折たたんだ車椅子を簡単に結束することができる車椅子を完成した。
【０００６】
本発明の第一の特徴は、左右のサイドフレームに後車輪が軸着され、前記左右のサイドフレームの間に背もたれと座部を有する車椅子において、該車椅子を折たたむことができると共に、結束することのできるバックル付きのベルトを着設したことである。車椅子の適当な箇所にバックル付きのベルトを設けることによって、ベルトの一方端、又は中程を持って引っ張ることにより、車椅子を容易に折たたむことができる。また、バックルが付いていることによって、折たたんだ車椅子を簡単に結束することができ、取り扱いが容易になる。
【０００７】
本発明の第二の特徴は、前記バックル付きのベルトが座部に設けられていることである。座部の幅方向に横架状にバックル付きのベルトを着設することにより、ベルトの中程を持って持ち上げることにより容易に車椅子を折たたむことができると共に、バックルにベルトを固定してベルトの一方端をバックルと逆方向にベルトを引くことにより、折たたんだ車椅子を簡単に結束することができる。
【０００８】
本発明の第三の特徴は、前記バックル付きのベルトとバックルに固定するためのタングプレート付きのベルトが左右のサイドフレームにそれぞれ設けられていることである。車椅子の左右のサイドフレームの一方にベルトの一方端を、他方にベルトを固定するためのタングプレート付きのベルトを着設して、ベルトの一方端を引くことにより、車椅子を容易に折たたむことができる。また、折たたんだ車椅子は他方のサイドフレームに取り付けたタングプレートをバックルに固定することにより、折たたんだ車椅子を簡単に結束することができる。
【０００９】
【発明の実施の形態】
本発明の車椅子１００の実施の形態を説明するが、その要旨を越えない限り、以下の実施例により本発明が限定されるものではない。
図１は、本発明にかかるバックル付きのベルト１０を設けた車椅子１００の実施例を示す斜視図である。この車椅子１００を構成する本体フレームは、折り畳み可能なＸフレームを介して左右対称的に形成され、相対して配設されたサイドフレーム２０を有し，左右のサイドフレーム２０の間に座部５０が設けられており、座部５０の前方部にバックル付きのベルト１０が着設されている。そして左右のサイドフレーム２０はそれぞれ前端部に前部フレーム１１が延設されている。また、左右のサイドフレーム２０には、それぞれ後車輪３０が軸着されており、左右の前部フレーム１１寄りには，前車輪３１及びブレーキ装置３３が装着されている。前部フレーム１１の下端部には足を載せるためのフットレスト６０が設けられている。また、前車輪３１と後車輪３０の間のベースフレーム３２は、前端を外側に湾曲させた構造とし、車椅子１００を折り畳んだ際に、ベースフレーム３２の内側にフットレスト６０が収納される形態としている。
【００１０】
車椅子のフットレスト６０の構造は図２の正面図に示すように、一対の前部フレーム１１下端の回動自在部１４からフットレストサポート支持部１２を介してフットレストサポート１５が架設されている。左右の前部フレーム１１の下端部に架設されたフットレストサポート１５の中間部はバネ部材を付勢した連結部材１６により連結されている。連結部材１６にバネ部材を付勢することによって、フットプレート１３に足を載せていない時はフットプレート１３は図２に示すように山形の形状が維持されている。このようにフットプレート１３を山形状に配設することによって、車椅子１００を折たたむ際にフットプレストサポート１５の抵抗を最小限にするとともに、フットプレート１３が容易に上方に上がり、車椅子１００を折たたむ時に力を入れることなく簡単に折たたむことができる。
【００１１】
また、フットプレート１３上に足を載せたときは、図３に示すように平坦になり、安定感がある構造となっている。さらに、図４に示すように、フットレストサポート支持部１２にはフットプレート１３の角度を調節する角度調節部材１９が着設されている。この角度調節部材１９のネジ１９ａを緩めて使用者の姿勢に合わせてフットプレート１３の角度を調節することが可能となっている。車椅子の使用者の姿勢によって、フットレスト６０の角度を適宜調節することのより、車椅子を長時間利用しても疲れない効果を有している。
【００１２】
図５は座部にバックル付きのベルト１０を着設した状態を示す。バックル付きのベルト１０を車椅子１００の座部５０に取り付ける方法は、座部５０を座部支持フレーム５１に鋲５０ａで固定する祭に、バックル付きのベルトのバックルを上にして、バックルに近い部分を座部５０の前後方向の中程より前よりの位置（図面では前方より２番目）にバックル付きベルト１０を座部５０の幅方向に座部５０と一緒に固定することにより、容易に取り付けることができる。座部５０にバックル付きのベルト１０を鋲５０ａで固定する場合、バックル付きのベルト１０を座部５０の上でも、座部５０の下を通しても良く、バックル付きのベルト１０のバックル部分とベルトの一方端が座部５０の上部にあって、折たたむ際にベルトを持って引き上げられる形態であれば、いずれの方法であっても良い。
【００１３】
その他、バックル付きのベルト１０を座部５０に着設する方法としては、バックル付きのベルト１０を上記同様にバックルを座部の上に位置するようにして、バックルに近い部分の約１０ｃｍ位と座部の幅方向の他方端に当たるベルトの約１０ｃｍ位の両端を座部５０の両サイドに縫いつけて固定し、座部５０の上部にバックルとベルトの他方端と繋ぐようにすることもできる。このようにすると車椅子１００を折たたむときは、座部５０上のベルトの中程を持って引き上げれば、図６に示すように、容易に折たたむことができる。折たたんだ車椅子は、バックルに繋がったベルトの他方端をバックルと逆方向に引き締めると、図７に示すように、折たたんだ車椅子１００がその状態で結束固定される。
【００１４】
バックル付きのベルト１０を座部５０に着設する位置は、座部５０の中央より前方が良く、座部５０に腰を掛けて邪魔にならず、引き上げるときに手を差し伸ばせやすい位置が望ましい。また、使用されるバックル付きのベルト１０は折り返し式のバックルが好適に利用される。その他、バックル付きのベルト１０としてはワンタッチバックル、スライドバックル等も利用することができる。また、結束する場合にベルトの締め金具と本体が一体となっている直接ホルダーや締め金具と本体を固定する部分が分かれている中間ホルダーが例示できるが、ベルトを引き締めて結束固定できると共に、使用時に簡単に結束を解放できる方法であればいずれの方法であっても良い。
【００１５】
さらに、左右のサイドフレーム２０に取り付ける方法としては、図８に示すように、左右のサイドフレーム２０の一方の中間位置にタングプレート付きのベルト２２と、他方のサイドフレームの中間位置にバックル付きのベルト２１を取付ける。このようにして、車椅子を折たたむときは、一方のベルトを引っ張って車椅子の一方端を引き寄せて折たたみ、タングプレート２２をバックル２１の中に差し込んで引き絞ることによって、車椅子を折たたんだ状態で容易に結束することができる。左右のサイドフレーム２０にバックル２１とタングプレート２２の付いたベルトを取り付ける場合、バックル２１及びタングプレート２２が後車輪に絡まない長さで、かつ、後車輪の操作に邪魔にならない位置が望ましい。
【００１６】
【発明の効果】
車椅子にバックル付きのベルトを座部に着設することによって、ベルトを引き上げると簡単に折たたむことができると同時に、ベルトの一方端を引き締めると容易に結束することができる。他の方法として、一方のサイドフレームにタングプレートを有するベルトを、他方のサイドフレームにバックルを有するベルトを着設することにより、一方のベルトを引き寄せることによって車椅子を容易に折たたむことができ、タングプレートをバックル中に差し込むことによって、車椅子を簡単に結束することができる。また、車椅子を結束することにより、車椅子の一方端を持って持ち上げても車椅子が開かず、バランスを失うなどのことがなく、危険が防止できる。
【図面の簡単な説明】
【図１】バックル付きのベルトを備えた車椅子の斜視図
【図２】車椅子のフットレスト構造の正面図
【図３】車椅子のフットレスト構造の正面図
【図４】フットレストサポート支持部の一方端の正面図
【図５】バックル付きのベルトを備えた車椅子の座部の斜視図
【図６】バックル付きのベルトを備えた車椅子を折たんだ状態の斜視図
【図７】車椅子を折たたんで結束した状態の部分斜視図
【図８】サイドフレームにバックル付きのベルトを装着した斜視図
【符号の説明】
１００：本発明のバックル付きのベルトを備えた車椅子
１０：バックル付きのベルト
１１：前部フレーム
１２：フットレストサポート支持部
１３：フットプレート
１４：回動自在部
１５：フットレストサポート
１６：連結部材
１７：ゴム板
１８：回動支点
１９：角度調節部材
２０：サイドフレーム
２１：バックル付きのベルト
２２：タングプレート付きのベルト
３０：後車輪
３１：前車輪
３２：ベースフレーム
３３：ブレーキ
５０：座部
５１：座部支持フレーム
６０：フットレスト
【図１】
0004643854.tif 000002
【図２】
0004643854.tif 000003
【図３】
0004643854.tif 000004
【図４】
0004643854.tif 000005
【図５】
0004643854.tif 000006
【図６】
0004643854.tif 000007
【図７】
0004643854.tif 000008
【図８】
0004643854.tif 000009